(57)【要約】  本発明は、グリップ（３）と、このグリップ（３）に接続可能である、ヘアトリートメント器具（５）を有する機能ヘッド（４）と、イオンを髪に供給し、少なくとも１つのイオン出口（１１）を有するイオン供給装置（９）と、を備えるヘアトリートメント装置（１）に関するものであり、更に、機能ヘッド（４）及びグリップ（３）は、それぞれ構成部品の外面に導電面を有し、機能ヘッド（４）の導電面とグリップ（３）の導電面とが、電気を通すように互いに接続されている。
2010534537.tif 000002
【特許請求の範囲】
【請求項１】
グリップ（３）と、該グリップ（３）に接続可能であり、ヘアトリートメント器具（５）を有する機能ヘッド（４）と、イオンを髪に供給し、少なくとも１つのイオン出口（１１）を有するイオン供給装置（９）と、を備えるヘアトリートメント装置であって、前記機能ヘッド（４）及び前記グリップが、それぞれ構成部品の外面に導電面を有し、前記機能ヘッドの前記導電面と前記グリップの前記導電面とが、電気を通すように互いに接続されていることを特徴とするヘアトリートメント装置。
【請求項２】
前記機能ヘッド（４）が、非導電性の、好ましくはプラスチックからなる、本体部及び／又はハウジング壁部を有している、請求項１に記載のヘアトリートメント装置。
【請求項３】
前記機能ヘッド（４）に取り付けられている前記導電面（２１）が、前記ヘアトリートメント器具（５）を少なくとも部分的に取り囲んでいる、及び／又は、前記ヘアトリートメント器具（５）に直接隣接して配置されている、請求項１又は２に記載のヘアトリートメント装置。
【請求項４】
前記機能ヘッド（４）が、少なくとも２つの対向する側面を有する非導電性の本体部を備え、２つの前記側面が、それぞれ１つの導電面（２１）を有している、請求項１〜３のいずれか一項に記載のヘアトリートメント装置。
【請求項５】
更に第３の側面、例えば正面が、１つの導電面を有している、請求項４に記載のヘアトリートメント装置。
【請求項６】
前記機能ヘッドの前記導電面と前記グリップの前記導電面とが、導体によって、電気が通るように接続されており、該導体が、前記機能ヘッドの前記構成部品の外面及び／又は前記グリップの構成部品の外面を通っている、請求項５に記載のヘアトリートメント装置。
【請求項７】
前記機能ヘッドの前記導電面と前記グリップの前記導電面とが、導体によって、電気が通るように接続されており、該導体が、前記機能ヘッドの前記構成部品の内面及び／又は前記構成部品の内部を通っている、及び／又は、前記グリップの前記構成部品の内面及び／又は構成部品の内部を通っている、請求項１〜５のいずれか一項に記載のヘアトリートメント装置。
【請求項８】
前記イオン出口（１１）の出口面（１４）が、対向電極がないように形成されている、請求項７に記載のヘアケア装置。
【請求項９】
前記イオン出口（１１）周辺に、複数の独立したハウジング構成部品（１０８ａ、１０８ｂ）を含むイオンガイド装置が設けられ、該ハウジング構成部品のうち、少なくとも１つが接地面を備え、少なくとももう１つはそのような接地面なしに形成されている、請求項１〜８のいずれか一項に記載のヘアケア装置。
【請求項１０】
少なくとも１つの前記接地面（２１、２２、２３）が、前記イオン出口（１１）から流出するイオン噴霧の反対側の装置構成部品の表面上に配置されている、請求項１〜９のいずれか一項に記載のヘアケア装置。
【請求項１１】
前記機能ヘッド（４）の前記導電面が、前記接地面（２１、２２、１２２）として作用する、請求項９又は１０に記載のヘアケア装置。
【請求項１２】
少なくとも１つの前記イオン出口（１１）が、前記ヘアトリートメント器具（５）の反対側の装置背面（８）に配置されている、請求項１〜１１のいずれか一項に記載のヘアケア装置。
【請求項１３】
少なくとも１つの前記イオン出口（１１）は、その主要排出方向（１８）が前記装置背面（８）の表面に対して０°〜４５°、好ましくは０°〜３０°の角度で傾けられるよう配置されている、請求項１〜１２のいずれか一項に記載のヘアケア装置。
【請求項１４】
機能ヘッドの背面上に発生するイオン噴霧が製造可能であるように、少なくとも１つの前記イオン出口（１１）又はすべての前記イオン出口（１１）が、前記機能ヘッド（４）の前記背面の端部に配置されている、請求項１〜１３のいずれか一項に記載のヘアケア装置。
【請求項１５】
前記機能ヘッド（４）及び／又は前記ヘアトリートメント器具（５）が、前記グリップ（３）を形成する装置ベース本体（２）から取り外し可能に固定されている、請求項１４に記載のヘアケア装置。
【発明の詳細な説明】
【技術分野】
【０００１】
本発明は、グリップと、このグリップに接続可能であり、特にブラシの毛部分及び／又は歯の部分であるヘアトリートメント器具を有する機能ヘッドと、イオンを髪に供給し、少なくとも１つのイオン出口を有するイオン供給装置と、を備えるヘアケア装置又はヘアトリートメント装置に関する。
【背景技術】
【０００２】
近年においては、特にヘアブラシなどのヘアケア装置が、その第１の機能、すなわち、ヘアブラシの場合は髪をとかすこと、ブラッシング及びスタイリングといった機能の他に、追加用途としてイオンを供給することが知られている。この種のイオンは、通常マイナス電子を帯電している分子である。このようなイオンの適用によって、髪及びヘアケアが改善され、特に、髪が静電気に帯電するのを抑え、それによって髪が逆立つのを予防する。
【０００３】
ＵＳ  ２００５／２８５５９５から、ヘアブラシの毛部分とは反対側の装置背面及び毛の部分の装置前面に、機能ヘッドの方向にイオンを流出させるイオン出口をそれぞれ１つ有する一体型ブラシヘッドを備えたヘアブラシ又はヘアドライヤーが周知である。
【０００４】
イオンを利用するこのようなヘアケア装置の場合、一方では、もちろんイオンが適切に髪に供給されるべきであり、他方では、イオンがムラなく、可能な限り均等に配分されるように髪に当てられなければならない。この場合、イオンの放出は、イオン出口の前にある髪の毛又は経路を塞いでいるユーザーの手など、直接の機械的障害によって停止するばかりではなく、静電気フィールド、すなわち、強くマイナスに帯電したイオンをいわば拒絶する、マイナスに帯電した構成部品、又はイオンを引きつける電界作用を有するプラス電荷の高い構成部品によっても停止することがある。このような帯電は、例えば、ブラシの毛で髪をとかした場合に、ブラシの毛自体に生じる。また、イオン出口部分においても、静電気のフィールドが装置ハウジングに形成され、この静電気フィールドはイオンの流出を妨げるおそれがある。
【先行技術文献】
【特許文献】
【０００５】
【特許文献１】ＵＳ  ２００５／２８５５９５
【発明の概要】
【発明が解決しようとする課題】
【０００６】
前述のような周知のヘアケア装置で、更に改善しなければならない点は、前述のような、装置への強い帯電によって侵害される可能性のある使用安全性である。更にこの装置は、様々な種類のヘアトリートメントが可能であり、様々な形で維持されることができるべきであり、しかも、常に有効かつ確実に機能しなければならない。
【０００７】
これらのことを前提として、本発明は、前述した種類のヘアケア装置を改善し、先行技術の欠点を回避して、有利な方法で先行技術を発展させるという課題に基づいている。とりわけ、簡単な手段によって、装置の適用可能性における柔軟性及び使用全性を妨げることなく、均等で、有効な髪へのイオン放出が実施されるべきである。
【課題を解決するための手段】
【０００８】
本課題は、本発明に基づき、請求項１によるヘアケア装置によって解決される。好ましい発明の実施形態は、従属請求項の対象である。
【０００９】
機能ヘッド及びグリップが、それぞれ、構成部品の外面に導電面を有するべきであり、機能ヘッドの導電面とグリップの導電面とが互いに導電するように接続されることも提案される。これらの導電面は、ヘアトリートメント装置を使用するユーザーの電位を受け取る。このヘアケア装置の電位を使用可能にすることにより、効果的なヘアトリートメントが可能となる。
【００１０】
例えば、髪へのイオンの放出を妨げるか、又はイオンの放出に支障をきたす可能性のある、少なくともヘアケア装置の部品に発生する静電気の帯電及び静電気フィールドは、適切な対抗措置により取り除くことができる。このような静電気フィールドによって支障を受けることなく、均等に配分され、しかも適切かつ効果的な髪へのイオン散布が、単純な形態をもつイオン供給装置によって達成可能であり、本発明の簡単な形態においては、このイオン散布を唯一のイオン出口だけで済ませることができる。
【００１１】
この場合、導電面は、基本的に様々に形成することができる。とりわけ、この接地面は、金属表面の形に形成することができ、非伝導性の、好ましくはプラスチックからなる、機能ヘッド及び／又はイオン出口の本体部若しくはハウジング部の上に取り付けられている。したがって、機能部品又はイオン出口そのものの本体部も、引き続きプラスチック射出成形部品又はその他の方法で製造されたプラスチック部品として形成することができる。
【００１２】
この場合、導電面の配置に関しては、様々な有利な実施形態が可能である。機能ヘッドに取り付ける接地面の有利な配置は、導電面がヘアトリートメント器具、特にブラシの毛部分及び／又は歯の部分に接続されている場合である。例えば、この導電面は、ブラシの毛又は歯、若しくは必要に応じて別の形に形成されたヘアトリートメント器具のトリートメントツールを保持する、いわばベッドを形成することができる。前記のブラシの毛部分及び／又は歯の部分の代替又は補足として、ヘアトリートメント器具が、例えば、セラミックなどの適切な材料から作られた、髪を手入れするためのヘアケア面を有することもできる。これの代替又は補足として、適切な形状、とりわけ、凹及び／又は凸の形に丸みをつけられた滑らかな手入れ面を備えたヒータ面を備えることができる。
【００１３】
導電面を直接ヘアトリートメント器具に接続する前記形態の代替又は補足として、機能ヘッドの導電面は、周辺側で少なくとも部分的に、好ましくは環状にヘアトリートメント器具を取り囲むこともでき、及び／又は、直接ヘアトリートメント器具に隣接して配置することができる。特に、ヘアトリートメント器具の周りを囲む金属帯を、導電面として機能ヘッドに設けることが可能である。この場合、ブラシの毛部分及び／又は歯の部分などのヘアトリートメント器具自体、又は機能ヘッドのハウジング本体自体は、非導電材料からなっていてもよい。有利であるのは、機能ヘッドに取り付ける導電面が、少なくとも１つのイオン出口の近くではない場所に設けられていることである。
【００１４】
この導電面は、有利な場合、ヘアトリートメント器具を保持する機能ヘッド内の、ヘアトリートメント器具に隣接するエッジ部分に配置することができる。例えば、機能ヘッドは、少なくとも２つの対向する側面をもつ本体部（全体が又は部分的に非導電性であってもよい）を有し、その２つの側面がそれぞれ１つの導電面を有することができる。この代替又は補足として、少なくとももう１つの、すなわち第３の側面が、１つの導電面を有することもできる。例えば、本体部正面が導電面を有することも可能である。
【００１５】
本発明においては、ヘアケア装置のグリップが導電面を有するべきである。この面は、ヘアケア装置のその都度のユーザーにプラス電荷を誘導する働きをすることもできる。このことによって、ユーザーは帯電から保護される。すなわち、マイナスイオンの排出により、ユーザーはマイナスに帯電するが、他方、グリップの接触面により、プラスの電荷がユーザーに伝達されることによって、マイナスイオンによる帯電効果が相殺される。このことは、電源接続がなく、特にバッテリ及び／又は蓄電池としてヘアケア装置を形成する場合に、とりわけ有利である。このような非電源接続装置の場合、バッテリ又は蓄電池としての装置に参照電位がないため、マイナスイオンの生成により、通常、同量のプラス電荷もこの装置に生じる。この装置のこうしたプラス電荷によって、電気的に作用するグリップの前記接触面を介し、ユーザーのマイナスへの帯電を相殺することができる。
【００１６】
グリップの導電面と機能ヘッドの導電面とは、任意の方法で、電気が通るように互いに接続することができる。例えば、金属帯、ワイア又はワイヤベルトの形での導体による接続が考えられる。それぞれの接続は、構成部品の外面又は構成部品の内面又は構成部品の内部を通る導体によって行うことができる。例えば、機能ヘッドの導電面とグリップの導電面とは、導体によって、電気が通るように接続することができ、この導体は、機能ヘッドの構成部品の外面及び／又はグリップの構成部品の外面を通ることができる。この代替として、機能ヘッドの導電面とグリップの導電面とは、導体によって、電気が通るように接続することができ、この導体は、機能ヘッドの構成部品の内面及び／又は構成部品の内部を通ることができ、及び／又は、グリップの構成部品の内面及び／又は構成部品の内部を通ることができる。特に、導体を完全に構成部品の内部に通すことが考えられる。
【００１７】
導電面は、接地面としても作用することができる。したがって、装置ユーザーの電位が、ヘアトリートメント装置のグラウンド電位を決定する。ヘアトリートメント装置に更に別の接地点を設けることによって、その効果を高めることができる。
【００１８】
イオン噴霧が拡散するハウジング部の電気的接地は、この場合、イオン噴霧の視野領域ではなく、イオン出口の反対側のハウジング構成部品で、特にそのハウジング構成部品の内面で行われるのが有利である。
【００１９】
本発明の有利な発展形態に基づき、装置ハウジングには、イオン出口から流出するイオン噴霧が拡散する部分において、及び／又は、イオン出口周辺において、イオンガイド装置又はイオン制御装置を取り付けることができる。有利な方法では、この場合、イオンの制御は、イオン出口周辺において、複数の独立したハウジング構成部品を設けることによって達成され、それらの構成部品のうち、少なくとも１つは接地され、少なくとももう１つの構成部品は接地されずに形成されている。接地されていないハウジング部が帯電し、それによってイオンの向きを変えることができる一方で、イオンは、接地されているハウジング構成部品によって抵抗なく拡散することができるため、接地されたハウジング構成部品と接地されてないハウジング構成部品のパターンに応じて、流出するイオンの拡散を制御することが可能となる。
【００２０】
適用に応じて、このようなイオンガイド装置を様々に形成し、様々な拡散パターンを作り出すことができる。本発明の好ましい実施形態においては、接地されたハウジング部と接地されてないハウジング部とからなる、装置の長手方向の中心面に対して左右対称のパターンを、イオン出口周辺において設けることができるため、全体として左右対称にイオンを拡散することが可能になる。この代替として、例えば、右利き用装置又は左利き用装置を作るために、長手方向の中心面に関して左右対称とは異なった構成にすることも可能である。
【００２１】
接地面及びそれによって装置の電荷フィールドが取り除かれるか、又は制限されることにより達成される、ほとんど支障のない髪へのイオン排出により、特にイオン出口の配置に関して、イオン供給装置の形成をとりわけ簡単にすることが可能となる。この場合、本発明の発展形態においては、ヘアケア装置の主要機能を提供するヘアトリートメント器具の反対側の装置背面でのみ、イオンの排出が行われるようにすることができる。驚くべきことに、これにより、均等に分配されながらも、適切に髪に向けられるイオン供給を達成することが可能となる。装置背面に送り出されるイオンは、ほとんどが目標物、すなわち、手入れしたい髪を通り過ぎてしまうことから、これまでは、いわば、手入れしたい部分にイオンを直接送り込むために、ヘアケア装置部分の装置前面にイオンの少なくとも一部が送られるように試みられてきた。髪は、通常、供給されるイオンによって相殺されるプラスの電荷を有しており、このプラスの電荷がイオンを引き付けるため、特に、すでに説明した接地面、及び障害となる電荷フィールドの除去又は制限と組み合わせて、装置背面でのイオン放出により、イオンを極めて均等に分配しながらも、ほぼ完全な髪へのイオン供給を達成することが可能となる。イオン放出を妨げるおそれのある強い障害フィールドがヘアケア装置に存在しない場合は、この効果が十分に発揮される。装置背面にイオン出口又は複数のイオン出口を配置することによって、ユーザーの手又はイオン出口の前にある髪の毛の房による機械的障害を受けることなく、イオンの流出が行われる。
【００２２】
基本的には、唯一のイオン出口で十分である。必要に応じて、装置背面に複数のイオン出口を配置することも可能である。両方の場合において、この配置は、ヘアケア装置の長手方向の中心面に対して左右対称に行われるのが有利である。好ましくは、イオンの主要排出方向又はイオンの主要排出方向の集まりが、長手方向の中心面に対して左右対称に、背面の平面内又は背面上に向けられるように、少なくとも１つのイオン出口又は複数のイオン出口が調整されている。有利な場合、イオン出口の主な排出方向は、この場合、実質的に背面に対して平行に調整されているため、イオンは、装置背面に対して実質的に平行に、装置背面の上を越えて流出する。これの代替又は補足として、わずかに鋭角に（上方へ）広げてイオン排出を行うようにすることができる。この場合、イオン出口は、背面の平面に対して、好ましくは０°〜４５°の角度、更には０°〜３０°の角度で傾けることができる。
【００２３】
髪への均等なイオンの分配を実施するため、少なくとも１つのイオン出口が、ヘアトリートメント器具の反対側にある装置背面のエッジに配置されることにより、機能ヘッドの背面上にイオン噴霧が形成される。
【００２４】
唯一のイオン出口を配置する場合、イオン出口を長手方向の中心面に配置するのが有利である。２つのイオン出口を装置背面に配置する場合、これらの出口は、長手方向の中心面から互いに距離をおいた同じ高さに、好ましくはわずかに中心面に傾けられるよう配置することができる。２つのイオン出口を装置背面に配置する場合、これの代替として、２つのイオン出口を裏側の機能ヘッド面の対向するエッジに配置し、２つのイオン出口が互いの方向を向くように調整することができる。そのため、イオンは、これらのイオン出口から、いわば重なり合って流出することができる。
【００２５】
ヘアトリートメント器具は、機能ヘッドに固定接続することができ、また、機能ヘッドに一体形成することもできる。この代替として、ヘアトリートメント器具は、有利な場合、交換可能であるように機能ヘッドに取り付けることができるため、機能ヘッドを様々なヘアトリートメント器具と接続して、利用することができる。ブラシの毛部分又は歯の部分以外に、別のヘアトリートメント器具、例えば、ヒートトリートメント器具、ヘアアイロン、ヘアドライヤー又はブラシ付きドライヤーなどのホットエア器具などが考えられる。このような様々なヘアトリートメント器具は、通常、様々な種類の装置操作及びグリップを必要とするため、公表された種類の導電面を提供することは有利である。更に、イオンの流れは、その強さ及びその形状的な配分に従って、多数の機能ヘッドと上手く対応するように排出されなければならないであろう。
【００２６】
本発明のこれらの特徴及びさらなる特徴は、請求項の他にも、以下の説明及び／又はそれに属する図面からも発生するものであり、この場合、これらの特徴は、請求項における要約を顧慮せずに、相互の様々な結合及び副結合の形において、並びに個々において本発明の対象を形成することができる。以下に好ましい実施例及び関係する図面を用いて、本発明を詳しく説明する。
【図面の簡単な説明】
【００２７】
【図１】機能ヘッドの背面の端に、長手方向の中心面のイオン出口が示された、本発明の有利な実施形態に基づく、ヘアブラシ形のヘアケア装置背面の平面図。
【図２】機能ヘッドの導電面が、機能ヘッドに取り付けられている歯の下に設けられている、図１のヘアブラシを線Ａ−Ａに従って切断した場合の縦断面図。
【図３】機能ヘッドの導電面が、歯部分のエッジを取り囲む金属帯の形で設けられている、本発明の更なる有利な実施形態に基づく、ヘアブラシ前面の平面図。
【図４】長手方向の中心面に対して左右対称に、機能ヘッドの端に取り付けられている２つのイオン出口の配置が示された、本発明の更なる有利な実施形態に基づく、ヘアブラシ背面の平面図。
【図５】互いに外に開いた、実質的にヘアブラシ背面と平行に延びる、イオン出口の主要排出方向が示された、図４によるヘアブラシの正面図。
【図６】２つのイオン出口が、ヘアブラシの長手方向の中心面に、互いに向かい合った状態で設けられている、本発明の更なる有利な実施形態に基づく、ヘアブラシ背面の平面図。
【図７】ヘアブラシ背面上に取り付けられたイオン出口が異なる傾きを有していることを示す、図６の線Ａ−Ａに沿って切断した場合の、図６によるヘアブラシの縦断面図。
【図８】出口ハウジングの底面が接地面として形成されている、本発明の有利な実施形態に基づく、イオン出口及びその出口ハウジングの透視図。
【図９】図８によるイオン出口の出口側正面の平面図。
【図１０】図８及び図９によるイオン出口の縦断面図。
【図１１】出口ハウジングの底面の一部分のみが接地面として形成されている、本発明の代替の有利な実施形態に基づく、イオン出口の透視図。
【図１２】出口ハウジングの側面が部分的に接地面として形成されている、本発明の更なる有利な実施形態に基づく、イオン出口の透視図。
【図１３】出口面の反対側に位置する出口ハウジング背面が接地面として形成されている、本発明の更なる有利な実施形態に基づく、イオン出口の透視図。
【図１４】出口ハウジングの２つの対向する側面が、それぞれ部分的に接地面として形成されている、本発明の更なる有利な実施形態に基づく、イオン出口の透視図。
【図１５】装置のハウジング構成部品がイオン出口の周辺において接地されており、ヘアブラシ背面にイオン出口を備えた、本発明の更なる有利な実施形態に基づく、ヘアブラシ形のヘアケア装置の透視図。
【図１６】装置背面のイオン出口周辺において、複数の独立したハウジング構成部品が設けられ、それらのうちの１つだけが接地されており、その他は接地されていない、図１５と類似するヘアケア装置の透視図。
【発明を実施するための形態】
【００２８】
図１及び２に示されたヘアケア装置１は、装置ベース本体２を含み、この装置ベース本体２はグリップ３を有し、後に説明される電子装置を本体内部又はアウタシェルに有している。前記のグリップ３は、機能ヘッド４を保持しており、この機能ヘッド４には、ヘアトリートメント器具５として、装置前面７にブラシの毛部分６が取り付けられている。しかしながら、ヘアケア装置がヘアフォーム装置及び／又はヘアドライヤーとして形成されている場合は、例えば、ヘアアイロン又はヘアフォームエレメント又は必要に応じて送風出口などのその他のヘアトリートメントツールも備えることができることは自明である。前記のヘアトリートメントツールは、必要に応じて、互いに組み合わせることもできる。
【００２９】
有利であるのは、この場合、ヘアケア装置１が互いに接合可能な複数のモジュールによるモジュール構造を有していることであり、その際、特に、機能ヘッド４全体及び／又は前記の方法ではヘアトリートメント器具５を、装置のベース本体２から独立して形成することができる。この場合、異なるモジュールとの間で、例えばラッチ凸部及びラッチ凹部の形でのポジティブロックに働く接続手段を設けることができ、このようなラッチは、ツールを用いないモジュールの脱着を可能にする。
【００３０】
図１及び２に示されるように、ヘアトリートメント器具５の反対側の装置背面８の装置ベース本体２上には、更に、イオン供給装置９が設けられており、この装置は、装置ベース本体２の内部に配置されているイオンエミッターを有し、及び／又はイオン出口１１に配置されている、イオンを排出するための高圧エレメント１２を有することができる。前記の高圧エレメント１２は、この場合、ケース又はカバーのような形の出口ハウジング１３の中に配置され、この出口ハウジング１３は、その出口面１４に流出開口部１７を有し、排出されるイオンはこの開口部から流出することができる。
【００３１】
図に示されている実施形態では、イオン出口１１がノズル形又はディフューザーのように形成され、イオンの流出する向きを調整するのに作用する（図２を参照）。この場合、有利であるのは、イオン出口１１が、ブラシの毛部分６に対向しているか、又はブラシの毛部分６の反対側である、いわゆるヘアブラシの背を形成する装置背面８に配置されていることである。有利な場合、このとき、イオン出口１１は、図２の図の平面を形成する長手方向中心面１８に配置されており、イオン出口１１の主要排出方向１９が、裏側の装置表面に対してわずかに鋭角に傾けられており、装置表面から逸れた方向に向けられている（図２を参照）。この場合、傾斜角は０°〜４５°であるのが有利であり、図に示された実施形態では、有利な場合、ほぼ２０°〜３０°とすることができる。図１及び２に示されているように、このとき、イオン出口１１は、ブラシの毛部分６の反対側に位置する機能ヘッドの背面の端に配置されているため、イオン出口１１から流出するイオンは、機能ヘッド４の背面上にイオン噴霧を形成する。特に、この場合、イオン出口１１は、図１に示されるように、大まかに言って、ほぼグリップ３と機能ヘッド４との間に配置することができる。
【００３２】
装置ベース本体２の内部には、特に図に示されていないエネルギー供給ユニットが収納されており、有利な場合には、このユニットをバッテリ又は蓄電池の形で形成することができる。有利であるのは、ヘアケア装置１がエネルギーを自給するように形成されていることであり、すなわち、この装置には、コンセントからの電流が供給される常設の電源装置がない。もちろん、装置ベース本体２内部のバッテリに充電するための電源ケーブルを挿入することはできる。前記のエネルギー供給ユニットによって、イオンを発生させるために、イオン供給装置９にエネルギーが供給される。
【００３３】
図２に示されているように、不要な装置の帯電を防止し、装置動作の安全性を向上させるため、１つの実施形態におけるヘアケア装置１１には接地装置２０が装備されている。図２に示されている実施形態においては、機能ヘッド４が導電面２１を有し、この導電面が、機能ヘッド４の部分、特にヘアトリートメント器具５の部分において、高い電荷フィールドが形成されるのを遮断することができる。図２による実施形態では、導電面２１が、直接、ヘケトリートメント装置５に接続されており、その際、この導電面は、キャリアとして形成され、ヘアトリートメント器具５の下にあり、導電面の上にヘアトリートメント器具が固定されている。有利なことに、ここでは、導電面２１が、金属表面及び／又は金属コーティングからなり、通常は、プラスチックから形成される機能ヘッド本体の上に取り付けられている。導電面２１は、例えば、装置の内部に配置されているグラウンドモジュールを介して、電圧回路のグラウンドに接続することが可能である。導電面２１の接地装置との接続は、図に示されている接続とは無関係に、任意である。
【００３４】
もう１つの導電面２３が、装置のグリップに設けられている。有利なことに、ここでは、導電面２３も、金属表面及び／又は金属コーティングからなり、通常は、プラスチックから形成されるグリップの上に取り付けられている。
【００３５】
この代替又は補足として、機能ヘッド側の導電面２１は、ブラシの毛部分６のエッジに配置されている金属表面体を、有利な場合には金属帯の形で有することも可能であり、この金属帯は、環状にブラシの毛部分６を取り囲むか、又は、図３に示されているように、Ｕ字型に３つの側面を取り囲んでいる。ブラシの毛部分６及び機能ヘッド４の残りの本体部は、非導電性に形成され、特にプラスチックから作ることができる。図３に従って、ブラシの毛部分６のエッジに導電面２１が取り付けられている場合、ブラシの毛部分６を取り囲む導電面２１の範囲は、この部分に発生する帯電を制限するのに十分な範囲である。有利であるのは、金属帯が、ヘアトリートメント器具５の周囲の少なくとも５０％に広がっていることである。導電面２１の接地装置との接続は、図に示されている接続とは無関係に、任意である。
【００３６】
図４及び５に示されているように、ヘアケア装置１は、装置背面８に複数のイオン出口１１を有することもでき、この場合、図４及び５に示されている実施形態では、２つのイオン出口１１が設けられ、これらのイオン出口１１は、装置の長手方向から見て同じ高さに配置され、長手方向の中心面１８に関して左右対称に位置決めされている。有利であるのは、この場合、イオン出口１１が機能ヘッドの背面の端に配置されており、その際、イオン噴霧を均等に分配するために、それらのイオン出口１１が、６０°〜１２０°の角度で、好ましくは約９０°の角度をつけて互いに傾けられていることである。このとき、図に示された実施形態においては、イオン出口１１の主要排出方向１８が、装置背面８の表面と平行に調整されているため、イオンは、実質的に機能ヘッドの背面と平行に流出する。図に示された形態においては、この場合、イオン出口１１が、イオンを違った方向に流出させるため、機能ヘッド４又はその背面上にイオン噴霧が均等に分配される。
【００３７】
この図４及び５による実施形態の代替として、長手方向の中心面１８に複数のイオン出口１１を配置することも可能である（図６及び７を参照）。この場合、有利であるのは、２つのイオン出口１１が、互いに向かい合っており、その際、機能ヘッドの背面上に発生するイオン噴霧を流出させるために、これらのイオン出口１１が、機能ヘッドの背面の端部における対向する両側に配置されていることである（図６及び７を参照）。
【００３８】
有利な場合、２つのイオン出口１１は装置背面の表面に対して様々な角度に傾けることができる。一方のイオン出口の主要排出方向１８は、実質的に装置背面８の表面と平行に調整され、もう一方のイオン出口１１は、装置背面の前記表面に対して、好ましくは０°〜４０°の角度で、特に１０°〜３０°の角度でわずかに鋭角に傾けられている。図６及び７に示されるように、この場合、特に有利であるのは、グリップ３と機能ヘッド４との間の移行部に配置されているイオン出口１１がわずかに傾けられ、グリップ３から離れた機能ヘッドの背面の端部に配置されたイオン出口１１は、装置背面８と平行に配置されることである。
【００３９】
図８〜１０に示されるように、有利であるのは、前記の接地装置２０が、この場合、イオン出口１１に組み込まれた接地面２２をも含んでいることである。この場合、特に、この接地面２２は、イオンエミッター又はその高圧エレメント１２を取り囲む出口ハウジング１３のハウジング外面上に設けられている。図８にもっとも良く示されているように、大まかに言って、ケースの形をした出口ハウジング１３は、正面を形成する出口面１４を有し、その出口面１４に、排出されるイオンを流出させるための流出開口部１７が設けられている。高圧エレメント１２は、出口ハウジング１３の中央に配置されるとともに、出口ハウジング１３内部において、前記の流出開口部１７の少し手前で終了している（図１０を参照）。この高圧エレメント１２は、典型的な場合には、ワイアを有しているか、又は、通常、絶縁被覆の中に通されているワイアからなり、一方、出口ハウジングは、通常、その他の、第３の材料、例えばプラスチックからなる（図１０では、素材の区別は明らかにされていない）。
【００４０】
図８〜１０による実施形態では、高圧エレメント１２に関して周辺側の側面１６に、接地面２２が取り付けられている。この接地面は、図８〜１０に従って、装置ベース本体２に向けられている出口ハウジング１３の底面であることができる。この代替又は補足として、接地面は、図１２に示されるように、出口ハウジング１３の側壁面１６でもよい。
【００４１】
図８〜１０に従って、出口ハウジング１３の底面全体は、接地面２２として、特に金属表面の形に形成されており、この場合、ハウジング本体は、通常、非導電性に形成され、特にプラスチックから作ることができる。図１１に示されているように、出口ハウジング１３の該当する面（図１１の場合は底側の面）には、部分的にのみ接地面２２を取り付けることができる。すなわち、接地面２２は、必ずしも側面全体を覆う必要はない（図１１を参照）。
【００４２】
図１２による実施形態の場合も、側面１６の半分だけが、接地面２２として形成されている。
【００４３】
図１３に示されているように、出口面１４の反対側に位置する、出口ハウジング１３の背面も接地面２２として形成することができる。
【００４４】
図１４には、更なる実施形態が示されている。ここでは、互いに対向する出口ハウジング１３の側面１６にそれぞれ接地面２２が取り付けられており、この場合、図に示された実施形態では、これらの接地面が、側面１６を部分的に覆う帯の形にのみ形成されている。
【００４５】
図１５は、本発明の更なる実施形態によるヘアケア装置１を示している。特に説明がない限り、このヘアケア装置は、これまでの実施形態に相当し、その場合、図１５には、対応する構成部品と一致する番号が使用されている。図１５によるヘアケア装置は、機能ヘッドの背面全体が接地されていることによって、これまでのものとは実質的に異なっている。機能ヘッド４の背面を形成し、イオン出口１１を取り囲んでいるハウジング構成部品１０８は、非導電性材料、特にプラスチックからなるため、ハウジング構成部品１０８は静電気を帯電する。しかしながら、前記のハウジング構成部品１０８は、高圧回路のグラウンドへの接続によって接地されることによって、静電気の帯電は不可能ではないが、十分に制限されるため、帯電によって生じる電気フィールドは小さく、イオン出口からのイオンの拡散は妨げられない。この場合、接地は、ハウジング構成部品１０８内のボルトボスの中にある、電気的に接続されるボルトによって行うことができる。この代替又は補足として、ハウジング構成部品１０８への金属電極の接地圧を、好ましくは、ハウジング構成部品の内面に取り付けることができる。両方の場合も、グラウンドに接続されている接地面がハウジング構成部品１８に設けられ、ハウジング構成部品の静電気帯電を防止又は抑制している。
【００４６】
図１５に示されるように、イオン出口１１周辺において、接地されているハウジング構成部品１０８は、実質的に裏側の装置本体表面の全体又は一部に広がっており、その上にイオン出口１１から流出するイオン噴霧が広がる。接地されているハウジング構成部品１０８は、この場合、イオン出口１１の出口面１４とは反対の、イオン出口１１の後部から開始して、特に広い範囲に、イオン出口１１の前まで、すなわち、イオン出口１１からのイオンの排出方向から見て前記のイオン出口１１の下流へ広がっている（図１５を参照）。イオン出口１１は、接地されているハウジング構成部品１０８の表面において、いわば島を形成しており、その際、ハウジング構成部品１０８の大部分（図に示されている実施形態ではハウジング構成部品１０８の３分の２以上）は、イオン出口１１の流出側に位置している（図１５を参照）。
【００４７】
前記のイオン出口１１は、この場合、前記のハウジング構成部品１０８の中に一体形成されており、特に、このハウジング構成部品は、イオン出口１１の流出開口部１７のスペースを作るため、ドーム形に膨張し、流出開口部１７は、図に示された実施形態では、イオンエミッターを出口側で取り囲んでいる、好ましくはプラスチック製のスリーブ１７０によって形成される（図１５）。
【００４８】
図１５に示されている、イオンエミッターの流出範囲において、ハウジング構成部品の全体を覆う接地の代わりに、図１６に示されているように、イオン出口１１の周辺において、複数の、独立したハウジング構成部品１０８ａ及び１０８ｂを設け、それらの少なくとも１つが接地され、その他の少なくとも１つは接地されていないようにすることができる。接地されていない部分は静電気に帯電することができ、それによってイオンの向きが変えられる。これとは反対に、接地されている部分によって、イオンは障害なく広がることができるため、結果的にイオン噴霧の制御が可能となる。イオン出口１１の周辺において、接地されているハウジング構成部品と接地されていないハウジング構成部品のパターンは、この限りにおいて、イオンガイド装置を形成する。
【００４９】
図１６に示されているように、このイオンガイド装置又は接地されているハウジング構成部品及び接地されていないハウジング構成部品１０８ａ及び１０８ｂのパターンは、有利な場合、ヘアケア装置１の長手方向の中心面１８に対して左右対称に配置されるか、又は形成されることができる。具体的には、図１６で示されている、イオン出口１１から不等辺四角形に広がっている中央のハウジング構成部品１０８ａが前記の方法で接地されている。この中央の帯形のハウジング構成部品１０８ａの左右には、２つの側面のハウジング構成部品１０８ｂが取り付けられ、これらは接地されていないため、静電気に帯電することができる。この実施例の場合、イオンガイド装置は、いわゆる流出ダクト又は流出ルートを形成し、これによりイオン流出が適切な方向へ向けられ、側面へ大きく広がるのを抑制する。しかし、適用に応じて、イオン噴霧の広がりを適切に制御できるようにするため、接地又は非接地のハウジング構成部品による別のパターンも適用に従って準備することができる。
【図１】
2010534537.tif 000003
【図２】
2010534537.tif 000004
【図３】
2010534537.tif 000005
【図４】
2010534537.tif 000006
【図５】
2010534537.tif 000007
【図６】
2010534537.tif 000008
【図７】
2010534537.tif 000009
【図８】
2010534537.tif 000010
【図９】
2010534537.tif 000011
【図１０】
2010534537.tif 000012
【図１１】
2010534537.tif 000013
【図１２】
2010534537.tif 000014
【図１３】
2010534537.tif 000015
【図１４】
2010534537.tif 000016
【図１５】
2010534537.tif 000017
【図１６】
2010534537.tif 000018
【国際調査報告】
2010534537.tif 000019
2010534537.tif 000020
2010534537.tif 000021
2010534537.tif 000022